(57)【要約】【課題】  複数の線状光源に回転機能を付与することにより、多様な被検査部品への対応が容易となる上、信頼性の高い検査が可能になる画像処理用照明装置を提供すること。【解決手段】  本体１の内部にシリンダー状レンズ９と、所望の配線パターンを有するプリント基板１１の一方の端縁部１１ｃに複数の発光ダイオード１２を直線状に配列し固定してなる複数の線状光源１０とを配置すると共に、複数の線状光源１０に個別に回転させる回転機構１８，２４を付与し、シリンダー状レンズ９に対する線状光源１０における発光ダイオード１２の指光軸方向を、回転機構を利用して選択的に変更可能なるように構成した。【選択図】  図１
2008108819.tif 000002
【特許請求の範囲】
【請求項１】
開口部を有する本体と、本体の開口部に近い部分に配置したシリンダー状レンズと、所望の配線パターンを有するプリント基板の一方の端縁部に複数の発光ダイオードを直線状に配列し固定してなる複数の線状光源と、複数の線状光源を個別に回転させるための回転機構とを具備し、前記複数の線状光源を本体内部に、シリンダー状レンズに対向し、かつそれの長手方向に沿うように配置すると共に、シリンダー状レンズに対する複数の線状光源における発光ダイオードの指光軸方向を、回転機構を利用して選択的に変更可能なるように構成したことを特徴とする画像処理用照明装置。
【請求項２】
開口部を有する長尺状の本体と、本体の開口部に近い部分に配置したシリンダー状レンズと、所望の配線パターンを有する長尺状のプリント基板における一方の端縁部に複数の発光ダイオードを直線状に配列し固定すると共に、他方の端縁部或いはその近辺に回転機構としての棒状の回転軸を、プリント基板の両側より突出するように固定してなる複数の線状光源とを具備し、前記複数の線状光源を本体内部に、シリンダー状レンズに対向し、かつそれの長手方向に沿うように配置すると共に、シリンダー状レンズに対する複数の線状光源における発光ダイオードの指光軸方向を、回転軸を利用して選択的に変更可能なるように構成したことを特徴とする画像処理用照明装置。
【請求項３】
開口部を有する長尺状の本体と、本体の開口部に近い部分に配置したシリンダー状レンズと、所望の配線パターンを有する長尺状のプリント基板における一方の端縁部に複数の発光ダイオードを直線状に配列し固定すると共に、他方の端縁部或いはその近辺に回転機構としての棒状の回転軸を、プリント基板の両側より突出するように固定してなる複数の線状光源と、複数の線状光源における回転軸を直接的又は間接的に回転させる回転制御部とを具備し、前記複数の線状光源を本体内部に、シリンダー状レンズに対向し、かつそれの長手方向に沿うように配置すると共に、回転制御部を本体の側板に配置し、シリンダー状レンズに対する複数の線状光源における発光ダイオードの指光軸方向を、回転制御部を利用して選択的に変更可能なるように構成したことを特徴とする画像処理用照明装置。
【請求項４】
前記複数の線状光源は、互いに平行となるように配置したことを特徴とする請求項１〜３に記載の画像処理用照明装置。
【請求項５】
前記線状光源は、プリント基板の一方の端縁部に発光ダイオードを、それのリードがプリント基板の異なった面に分散して位置するように跨り状に配列し固定したことを特徴とする請求項１〜３に記載の画像処理用照明装置。
【請求項６】
前記線状光源は、プリント基板の両側より突出する軸部分を本体内部に固定した軸受ブロックの軸受部に係合させることによって支持することを特徴とする請求項１〜３に記載の画像処理用照明装置。
【請求項７】
前記回転制御部は、本体の側板に露呈する線状光源の回転軸に固定された制御部材と、制御部材の一端に設けられた操作用のツマミと、制御部材の他端に形成された円弧状の長孔を介して側板に固定されたネジとを具備し、ツマミを利用して線状光源が所望の角度になるように回転させ、ネジの締め付けにより制御部材を側板に固定することを特徴とする請求項１〜３に記載の画像処理用照明装置。
【請求項８】
前記複数列に配置した線状光源の配列ピッチを変更するためのピッチ可変機構を付与したことを特徴とする請求項１〜３に記載の画像処理用照明装置。
【請求項９】
前記複数列に配置した線状光源とシリンダー状レンズとの間隔を、線状光源及び／又はシリンダー状レンズの移動により変更するための移動機構を付与したことを特徴とする請求項１〜３に記載の画像処理用照明装置。
【発明の詳細な説明】
【技術分野】
【０００１】
本発明は画像処理用照明装置に関し、特に画像処理により被検査部品の表面状態などを検査する検査システムに適用される画像処理用照明装置の改良に関する。
【背景技術】
【０００２】
一般に、この種検査システムは、例えば幅広なフィルムシート，プラズマディスプレイパネル（ＰＤＰ）用ガラス基板などの被検査部品に光を照射し、その反射光（或いは透過光）をＣＣＤカメラなどの撮像手段により撮像し、正常な部品の撮像データと比較することによって被検査部品の良否を判定するように構成されている。
このような検査システムに適用される画像処理用照明装置としては、複数の発光ダイオードを直線状に配列してなる線状光源と、シリンダー状レンズとを用いた画像処理用照明装置が提案され、実用化されている。
【０００３】
この照明装置は、例えば図１７〜１８に示すように構成されている。同図において、Ａは開口部Ａａを有する長尺状の本体、Ｂは本体Ａの対向する内側面に配置された一対の側板、Ｃはそれのフランジ部Ｃａを側板Ｂの溝Ｂａに挿入して支持されたシリンダー状レンズ、Ｄは長尺状の支持板Ｅに複数の発光ダイオードＬを直線状に配置してなる線状光源である。この線状光源Ｄは側板Ｂに、支持板Ｅのフランジ部Ｅａを側板Ｂの溝Ｂｂに挿入することによって支持されている。
この照明装置によれば、線状光源Ｄにおける発光ダイオードＬから放射された光はシリンダー状レンズＣを介して前方の図示しない照射面に集光される。従って、照射面からの反射光を撮像手段で撮像することにより、被検査部品の表面状態（形態，傷，欠けなど）を容易に検査することができる。
しかしながら、例えば表面状態をより精度よく検査する必要がある場合や、幅広のフィルムシートを一定方向に高速で移送する際に、それの表面状態を検査する場合には、一つの線状光源Ｄだけでは被検査面（照射面）の照度が不足し、信頼性の高い検査ができなくなる。
【０００４】
従って、信頼性の高い検査を行うには被検査面（照射面）の照度及び、配光分布の精度を高める必要がある。このために、線状光源Ｄは、例えば図１９に示すように複数の発光ダイオードＬを平行に３列（Ｌａ，Ｌｂ，Ｌｃ）に配列して構成することが試みられている。
この方法によれば、照射面の照度は１列の場合よりも高めることができるものの、３列（Ｌａ，Ｌｂ，Ｌｃ）の線状光源の指光軸がすべて平行であるために、線状光源の設置数を増やした割には精度の高い検査を行うに必要な配光分布の均一性が得られないという問題がある。
同図において、中央に位置する線状光源（発光ダイオードＬｂ）は、発光ダイオードＬｂの指光軸と主光線（シリンダー状レンズの中心を通る光）とが一致しているために、照射面への配光分布も指光軸に対して対称となり照射面Ｐｂでの配光分布は図１７に示す構造のものと同じになる。しかし乍ら、発光ダイオードＬｂの両側に位置する線状光源（発光ダイオードＬａ，Ｌｃ）は、指光軸が平行であることから、指光軸と主光線とが不一致となり、照射面への配光分布は指光軸に対して非対称となり照射面Ｐａ，Ｐｃでの配光分布も不均一となる。従って、照射面からの反射光を撮像手段によって撮像した場合、撮像レベルが不均一となり、被検査部品に対する高精度の検査が期待できなくなる。
【発明の開示】
【発明が解決しようとする課題】
【０００５】
ところで、上述の問題を解決するためには、同装置において、中央の線状光源（発光ダイオードＬｂ）の両側に位置する線状光源（発光ダイオードＬａ，Ｌｃ）におけるそれぞれのリードを適宜の角度に折り曲げ、発光ダイオードＬａ，Ｌｃの指光軸方向と主光線とがそれぞれに一致するようにする必要がある。このような構成にすれば、照射面への配光分布は主光線に対して対称となり、照射面Ｐａ，Ｐｃの配光分布を均一にすることができる。従って、照射面からの反射光を撮像手段によって撮像した場合、検査精度の向上が期待できる。
【０００６】
しかし乍ら、長尺状のプリント基板には極めて多くの発光ダイオードが直線状に配列されている関係で、現実的には、発光ダイオード（Ｌａ，Ｌｃ）のリードを１個ずつ手作業により所望の角度となるように折り曲げることは極めて困難である。その上、一旦、発光ダイオードのリードの折り曲げ調整を完了した状態において、被検査部品の仕様変更などにより照明装置との間隔が変ったりした場合には、再度、発光ダイオードのリードの折り曲げ角度を調整しなければならなくなり、その対応が極めて難しくなる。
特に、複数の発光ダイオードにおけるリードの折り曲げ角度が均一にならない場合には、線状光源における光の直線的連続性が確保できなくなる。このために、撮像手段は幅広の被検査部品（照射面）からの反射光を撮像するものの、それの直線的連続性が失われているために、撮像レベルが不均一となり、検査精度が低下するという問題が生ずる。
それ故に、本発明の目的は、複数の線状光源に回転機能を付与することにより、多様な被検査部品への対応が容易となる上、信頼性の高い検査が可能になる画像処理用照明装置を提供することである。
【課題を解決するための手段】
【０００７】
従って、本発明は上述の目的を達成するために、開口部を有する本体と、本体の開口部に近い部分に配置したシリンダー状レンズと、所望の配線パターンを有するプリント基板の一方の端縁部に複数の発光ダイオードを直線状に配列し固定してなる複数の線状光源と、複数の線状光源を個別に回転させるための回転機構とを具備し、前記複数の線状光源を本体内部に、シリンダー状レンズに対向し、かつそれの長手方向に沿うように配置すると共に、シリンダー状レンズに対する複数の線状光源における発光ダイオードの指光軸方向を、回転機構を利用して選択的に変更可能なるように構成したことを特徴とする。
【０００８】
又、本発明の第２の発明は、開口部を有する長尺状の本体と、本体の開口部に近い部分に配置したシリンダー状レンズと、所望の配線パターンを有する長尺状のプリント基板における一方の端縁部に複数の発光ダイオードを直線状に配列し固定すると共に、他方の端縁部或いはその近辺に回転機構としての棒状の回転軸を、プリント基板の両側より突出するように固定してなる複数の線状光源とを具備し、前記複数の線状光源を本体内部に、シリンダー状レンズに対向し、かつそれの長手方向に沿うように配置すると共に、シリンダー状レンズに対する複数の線状光源における発光ダイオードの指光軸方向を、回転軸を利用して選択的に変更可能なるように構成したことを特徴とする。
【０００９】
又、本発明の第３の発明は、開口部を有する長尺状の本体と、本体の開口部に近い部分に配置したシリンダー状レンズと、所望の配線パターンを有する長尺状のプリント基板における一方の端縁部に複数の発光ダイオードを直線状に配列し固定すると共に、他方の端縁部或いはその近辺に回転機構としての棒状の回転軸を、プリント基板の両側より突出するように固定してなる複数の線状光源と、複数の線状光源における回転軸を直接的又は間接的に回転させる回転制御部とを具備し、前記複数の線状光源を本体内部に、シリンダー状レンズに対向し、かつそれの長手方向に沿うように配置すると共に、回転制御部を本体の側板に配置し、シリンダー状レンズに対する複数の線状光源における発光ダイオードの指光軸方向を、回転制御部を利用して選択的に変更可能なるように構成したことを特徴とする。
【００１０】
又、本発明の第４の発明は、前記複数の線状光源は、互いに平行となるように配置したことを特徴とし、第５の発明は、前記線状光源は、プリント基板の一方の端縁部に発光ダイオードを、それのリードがプリント基板の異なった面に分散して位置するように跨り状に配列し固定したことを特徴とし、第６の発明は、前記線状光源は、プリント基板の両側より突出する軸部分を本体内部に固定した軸受ブロックの軸受部に係合させることによって支持することを特徴とする。
【００１１】
又、本発明の第７の発明は、前記回転制御部は、本体の側板に露呈する線状光源の回転軸に固定された制御部材と、制御部材の一端に設けられた操作用のツマミと、制御部材の他端に形成された円弧状の長孔を介して側板に固定されたネジとを具備し、ツマミを利用して線状光源が所望の角度になるように回転させ、ネジの締め付けにより制御部材を側板に固定することを特徴とする。
【００１２】
さらに、本発明の第８の発明は、前記複数列に配置した線状光源の配列ピッチを変更するためのピッチ可変機構を付与したことを特徴とし、第９の発明は、前記複数列に配置した線状光源とシリンダー状レンズとの間隔を、線状光源及び／又はシリンダー状レンズの移動により変更するための移動機構を付与したことを特徴とする。
【発明の効果】
【００１３】
このように本発明によれば、複数の発光ダイオードを直線状に配列してなる複数の線状光源には回転機能が付与されているために、シリンダー状レンズに対する発光ダイオードの指光軸方向を、回転機能を利用して任意に設定できる。特に、指光軸方向と主光線とが一致するように回転角を設定すれば、照射面における配光分布を均一にすることができるのみならず、照射面への配光分布が主光線に対してほぼ対称となるために撮像手段による撮像が適切化され、検査精度の向上が期待できる。
特に、上述の回転機構の制御部を本体の側板に配置すれば、セッティング時に、被検査部品の照射面における焦点調整などを容易に行うことができ、調整コストを低減できる。
又、線状光源におけるプリント基板の全長に亘って、回転機構の構成要素である長い棒状の回転軸を固定すれば、その回転軸本来の機能の他に、長尺状のプリント基板の機械的な強度が補強されるために、プリント基板の直線性は勿論のこと、それに固定された複数の発光ダイオードの直線性も確保される。従って、照射面における光の直線性が保たれる上、明るさも一様に保たれることから、検査システムに適用した場合、検査精度の向上が期待できる。
【００１４】
又、線状光源において、複数の発光ダイオードは、プリント基板の一方の端縁部に直線状に配列して固定されているが、特に、端縁部に発光ダイオードを、それぞれのリードがプリント基板の異なった面に分散されるように跨り状に配置すれば、プリント基板の直線性と相俟って、複数の発光ダイオード相互間の直線性を容易に確保できる上、線状光源の組立作業を簡単かつ能率的に行うことができる。
又、装置に、複数の線状光源の配列ピッチを変更するためのピッチ可変機構を付与すれば、照射面の配光分布を簡単にコントロールすることができる。例えばピッチを狭くすれば、輝度アップできるし、逆にピッチを広くすれば、配光分布に凹凸が生じる。この凹凸の内、複数の凸線状部分の反射光を複数の撮像手段で撮像すれば、撮像手段毎に異なった項目の検査を数多く行うことができ、検査の質的向上を図ることができる。
さらに、装置に複数の線状光源とシリンダー状レンズとの間隔を相対的に変更可能な移動機構を付与すれば、線状光源とシリンダー状レンズとの光学な位置関係を変更することで装置から照射面までの焦点距離を適宜に設定することができる。従って、照射面の集光状態を用途に応じて最適な状態に調整することができる。
【発明を実施するための最良の形態】
【００１５】
次に、本発明の１実施例について図１〜図１５を参照して説明する。同図において、１は一方（例えば上部）に開口部１ａを有する本体であって、例えば一定の間隔に配置される第１の前面板２，第１の後面板３と、第１の前面板２，第１の後面板３に連続するように配置される第２の前面板４，第２の後面板５と、それぞれの前面板及び後面板の両側部分に配置される第１の側板６，第２の側板７と、第２の前面板４，第２の後面板５の底部側に配置される底板８とから構成されている。本体１における第１，第２の側板６，７の内側には厚肉部６ａ，７ａが形成されており、この厚肉部６ａ，７ａを利用してそれぞれの前面板及び後面板が固定されている。又、第１の側板６には電気接続のための孔６ｂが形成されており、第２の側板７には後述する回転制御部を設置するための凹部７ｂと、この凹部７ｂに後述する回転軸の突出部分を貫通させるための貫通孔７ｃと、後述する回転制御部の制御部材を固定するためのネジ孔とがそれぞれ形成されている。本体１において、第１の前面板２，第１の後面板３の開口部１ａに近い対向部分には、例えば全長に亘って溝３ａ，３ａが形成されている。又、第２の前面板４，第２の後面板５の底部に近い対向部分には、例えば全長に亘って溝４ａ，４ａが形成されており、この溝４ａ，４ａに底板８の突部８ａ，８ａを挿入して支持されている。
【００１６】
９はシリンダー状レンズであって、本体１の内部で開口部１ａに近い部分に配置されており、その長さは、例えばそれぞれの前面板及び後面板の長さと同程度ないし若干短い目に設定されている。具体的には、シリンダー状レンズ９は第１の前面板２，第１の後面板３に、両端に形成されたフランジ部９ａ，９ａを溝２ａ，３ａに挿入して支持されている。
１０は本体１の内部に配置される複数の線状光源であって、回転機構が付与されている。具体的には、例えばそれぞれの面１１ａ，１１ｂに所望の配線パターンを有する長尺状のプリント基板１１と、プリント基板１１の一方の端縁部１１ｃに、それぞれのリード１２ａ，１２ｂがそれぞれの面１１ａ，１１ｂに位置するように跨り状に配列して固定される複数の発光ダイオード１２と、プリント基板１１のそれぞれの面１１ａ，１１ｂに形成された個別パターン１３，１５及び共通パターン１４，１６と、発光ダイオード１２に直列的に接続される抵抗１７と、プリント基板１１の他方の端縁部１１ｄに、それの両側より突出するように配置される長尺状の棒状の回転軸（回転機構）１８と、回転軸１８をプリント基板１１にネジ２０，２１を利用して固定するための支持板１９とから構成されている。
これらの線状光源１０において、複数の発光ダイオード１２のリード１２ａ，１２ｂは対応する個別パターン１３，１５に、例えば図６に示す回路が形成されるように半田付けなどによって電気的に接続されている。尚、個別パターン１３，１５間の電気的な接続は、例えばスルーホール１３ａを利用して行われており、共通パターン１４，１６はコネクタなどを介して外部回路に接続される。
【００１７】
上述の線状光源１０は、例えば第２の後面板５にネジなどによって固定された第１，第２の軸受ブロック２２，２３によって支持されている。これらの軸受ブロック２２，２３は、例えば図１４，１５に示すように、ほぼ同じ形状に形成されている。それぞれのブロック中央部分に形成された３つの孔状の軸受部２２ａ，２２ｂ，２２ｃ，２３ａ，２３ｂ，２３ｃと、両フランジ部に形成されたネジ孔２２ｄ，２３ｄと、軸受部２２ｂ，２３ｂに貫通するネジ孔２２ｅ，２３ｅとから構成されている。具体的には、上述の複数の線状光源１０は第１，第２の軸受ブロック２２，２３に、それぞれの回転軸１８の、プリント基板１１の両側より突出する部分１８ａ，１８ｂを軸受部２２ａ，２２ｂ，２２ｃ，２３ａ，２３ｂ，２３ｃに挿入することによって支持されている。例えば中央部分に位置する線状光源１０における回転軸１８はネジ孔２２ｅ，２３ｅに螺入したネジ（図示せず）によって回転しないように固定されている。
【００１８】
２４は、例えば本体１における第２の側板７に配置された回転制御部であって、例えば制御部材２５と、制御部材２５の一方の端部に固定された操作用のツマミ２６と、制御部材２５のほぼ中央部分に形成された角孔２７と、制御部材２５の他方の端部に形成された角孔２７を中心とした円弧状の長孔２８とから構成されている。尚、長孔２８の回転軌跡は凹部７ｂにおけるネジ孔７ｄの形成位置に一致するように形成されている。制御部材２５は凹部７ｂに配置すると共に、それの角孔２７に回転軸１８の端部に形成された角形の突出部１８ｃを挿入し、ネジ２９にて固定されている。その上、長孔２８を介してネジ孔７ｄにネジ３０が螺入されている。このように線状光源１０の回転軸１８と回転制御部２４における制御部材２５とが一体化されることにより、制御部材２５の回転操作に応じて線状光源１０における複数の発光ダイオード１２の指光軸方向を所望の角度に選択的に設定できる。尚、線状光源１０の設定角度はネジ３０の締め付けによって固定化され、制御部材２５による回転制御も阻止されることになる。
【００１９】
次に、本発明にかかる画像処理用照明装置の検査システムへの適用及び動作について図１〜図１６を参照して説明する。まず、画像処理用照明装置を幅広の被検査部品の対向位置に、被検査部品に対して平行となるように配置する。被検査部品に対向する斜め位置には図示しない撮像手段が配置されている。この状態において、複数の線状光源１０を動作させると、これら線状光源１０からは複数の発光ダイオード１２による光が直線状に放射され、シリンダー状レンズ９を介して照射面（被検査部品）に照射される。この状態において、中央に位置する線状光源１０における複数の発光ダイオード１２の指光軸方向と主光線とが、図１６に示すように、一致するように調整し、調整後にネジ孔２２ｅ，２３ｅにネジ（図示せず）を螺入して回転軸１８を固定する。尚、この調整は装置の組立時に行うこともできる。次に、両側に位置するそれぞれの線状光源１０において、それぞれに直線状に配列された発光ダイオード１２の指光軸方向と主光線とが、図１６に示すように、一致するように回転制御部２４の制御部材２５を操作して調整し、調整後にネジ３０を締め付けることにより回転軸１８を固定する。調整の完了後に正規に稼動される。
稼動状態において、複数の線状光源１０から放射された直線状の光はシリンダー状レンズ９を介して、図１６に示すように、照射面（被検査部品）Ｐａ，Ｐｂ，Ｐｃに集光される。その反射光は、常に撮像手段によって撮像されており、この撮像データは正常な状態の撮像データと比較され、被検査部品の良否が判定される。「不良」と判定されると、直ちに製造ラインから除去されるか、或いは後の工程で除去される。
本発明装置では、照射面への配光分布が主光線に対して対称となるために、被検査部品の幅全体に亘ってほぼ均一な光が照射され、被検査部品に対して検査精度の向上が期待でき信頼性の高い検査を行うことができる。
【００２０】
上述の本発明装置において、例えば第１，第２の側板６，７にネジによって固定されている第１の前面板２，第１の後面板３におけるネジ孔を長孔状に形成したり、或いは第１，第２の側板６，７にネジによって固定されている第２の前面板４，第２の後面板５におけるネジ孔を長孔状に形成したりするなどの移動機構を付与すれば、第１の前面板２，第１の後面板３と第２の前面板４，第２の後面板５とを互いに摺動しながら移動させることができる。このために、シリンダー状レンズ９と複数の線状光源１０との間隔は長孔の長さの範囲内において自在に移動・調整することができる。従って、本発明装置と被検査部品との間隔が変更されても、両者間の間隔は移動機構を利用して調整することにより、照射面における集光状態（焦点）を適正化できる。
【００２１】
又、本発明装置において、例えば第１，第２の軸受ブロック２２，２３による複数の線状光源１０の一括して支持する構成を、個々の線状光源１０を独立した状態で支持できる構成に変更すると共に、複数の線状光源１０の配列ピッチが変更できるピッチ可変機構を付与すれば、照射面の配光分布を簡単にコントロールすることができる。例えば平行に配列された線状光源１０の互いの間隔（ピッチ）を狭くすれば、輝度アップができるし、逆にピッチを広くすれば、配光分布分布に凹凸が生じる。この凹凸の内、複数の凸線状部分の反射光を複数の撮像手段で撮像すれば、撮像手段毎に異なった項目の検査を数多く行うことができ、検査の質的向上を図ることができる。これらは回転機構を併用することによって一層の効果が期待できる。
【００２２】
尚、本発明は何ら上記実施例に制約されることなく、本発明の主旨を逸脱しない範囲内において適宜に変更することが可能である。例えば本体はそれぞれ第１，第２の前面板,後面板，側板などによって構成されているが、第１，第２の前面板,後面板を一体化することも可能である。シリンダー状レンズを複数個具備し、シリンダー状レンズと線状光源との間隔調整は個々のシリンダー状レンズに移動機構を付与することにより行うこともできる。又、実施例では、線状光源は３列に配列されているが、用途に応じて配列数を適宜に増減できる。線状光源に直線状に配列される発光ダイオードはプリント基板に跨り状に配列することが推奨されるが、それぞれのリードがプリント基板の同一の面にのみ位置するように配置することもできる。プリント基板に固定される回転軸はそれの全長に亘って固定することが推奨されるが、それの両側部分にのみ配置することもできるし、プリント基板のいずれか一方の面に直接固定することもできる。又、装置のコンパクト化や線状光源の設置数の増加などによって、片側の側板のみに回転制御部を設けることが難しい場合にはそれぞれの側板に分散して設けることも可能であるし、すべての線状光源に回転機能を付与することもできる。又、回転制御部は、線状光源から延びる回転軸を側板より外部に突出させ、突出部分に回転操作用のツマミを固定し、ツマミの回転操作によって発光ダイオードの指光軸方向を変更するように構成することもできる。さらに、線状光源の傾斜角度の調整は手動で行う他、回転軸に例えばステッピングモータなどの回転を伝達できるように構成し、外部からの指令に応じて自動的に所望の角度に調整することもできる。
【図面の簡単な説明】
【００２３】
【図１】本発明の１実施例を示す側断面図である。
【図２】図１の正面図である。
【図３】図１のＡ−Ａ断面図である。
【図４】本発明にかかる線状光源を示す図であって、同図（ａ）は正面図、同図（ｂ）は背面図である。
【図５】図４（ａ）の側断面図である。
【図６】本発明にかかる線状光源における電気回路の一例を示す回路図である。
【図７】図２の右側面図である。
【図８】図７に示す第２の側板の正面図である。
【図９】図７のＣ−Ｃ断面図である。
【図１０】本発明にかかる回転制御部の組立前の状態を示す図である。
【図１１】図２の左側面図である。
【図１２】図１１に示す第１の側板の背面図である。
【図１３】図１２の正面図である。
【図１４】本発明にかかる第１の軸受ブロックの断面図である。
【図１５】本発明にかかる第２の軸受ブロックの断面図である。
【図１６】本発明にかかる線状光源からの光の配光分布状態を示す図である。
【図１７】従来例を示す側断面図である。
【図１８】図１７に示す線状光源の一部を断面とした正面図である。
【図１９】他の従来例における線状光源からの光の配光分布状態を示す図である。
【符号の説明】
【００２４】
１    本体
２    第１の前面板
３    第１の後面板
４    第２の前面板
５    第２の後面板
６    第１の側板
７    第２の側板
８    底板
９    シリンダー状レンズ
１０  線状光源
１１  プリント基板
１１ｃ一方の端縁部
１１ｄ他方の端縁部
１２  発光ダイオード
１８  回転軸
１９  支持板
２２  第１の軸受ブロック
２３  第２の軸受ブロック
２４  回転制御部
２５  制御部材
２６  ツマミ
２７  角孔
２８  長孔
３０  ネジ
【図１】
2008108819.tif 000003
【図２】
2008108819.tif 000004
【図３】
2008108819.tif 000005
【図４】
2008108819.tif 000006
【図５】
2008108819.tif 000007
【図６】
2008108819.tif 000008
【図７】
2008108819.tif 000009
【図８】
2008108819.tif 000010
【図９】
2008108819.tif 000011
【図１０】
2008108819.tif 000012
【図１１】
2008108819.tif 000013
【図１２】
2008108819.tif 000014
【図１３】
2008108819.tif 000015
【図１４】
2008108819.tif 000016
【図１５】
2008108819.tif 000017
【図１６】
2008108819.tif 000018
【図１７】
2008108819.tif 000019
【図１８】
2008108819.tif 000020
【図１９】
2008108819.tif 000021